(57)【特許請求の範囲】
【請求項１】
チューブ容器の原材料であるカラー原反の製造方法であって、
アルミニウム箔と、そのアルミニウム箔の内面側および外面側に設けられる合成樹脂製のフィルムとからなる基材原反をあらかじめ製造しておき、
この基材原反を、製造しようとするチューブ容器のサイズおよびロット数に応じた幅及び長さの帯状とし、
この基材原反を予備加熱し、
予備加熱した基材原反の外面側に、所望の色彩に着色した着色樹脂をＴダイから押し出し成形して重ね合わせ、
基材原反と着色樹脂を、押圧ロールと成形ロールの間に供給して両者を接着し、
得られたカラー原反を前記成形ロールで冷却し、
ついでアニーリングロールで加熱して焼鈍し、
さらに冷却ロールで冷却する
ことを特徴とする小ロット生産対応のカラー原反の製造方法。
【請求項２】
前記着色樹脂が、ポリエチレン、ナイロン、ポリプロピレン、エチレン酢酸ビニル共重合体又はエチレンビニルアルコール共重合体より選んだ１種であることを特徴とする請求項１記載のカラー原反の製造方法。
【請求項３】
前記基材原反の予備加熱を、基材原反をプレヒートロールに導くことにより行う請求項１乃至２記載のカラー原反の製造方法。
【発明の詳細な説明】
【技術分野】
【０００１】
本発明は、カラー原反の製造方法に関し、詳しくは本数の少ないチューブ容器を生産するための小ロット対応のカラー原反の製造方法及びこの製法により製造されたチューブ容器に関する。
【背景技術】
【０００２】
従来、アルミニウム箔を有するカラー原反の製造方法は、ドライラミネーションや押出しラミネーション等の製法により、基材となるアルミニウム箔、合成樹脂フイルムの表面に、予め成形されたフイルムを貼り合わせ、乾燥・硬化させるものであり、この作業を合成樹脂のフイルムの積層数に応じて、繰り返すことによって行われていた。例えば、接着性樹脂を両面に塗布したアルミニウム箔をローラに導入し、低密度ポリエチレン等のフイルムをアルミニウム箔に接着し、その後ポリエチレン、直鎖状低密度ポリエチレン、ナイロン、ポリエチレンテレフタレート等の所望するフイルムを重ね合わせて接着し、さらに、外層に着色ポリエチレン、最外層に透明ポリエチレン等を接着して積層することにより製造されていた。そして、このような製造方法によって製造されたカラー原反を、所望する寸法に裁断し、丸めて筒状に形成し両端部を溶着することにより、チューブ容器の胴部が形成され、ラミネートチューブ容器が製造されていた。このような製造方法で製造されるカラー原反の製造方法で造られた積層シートとしては、例えば、図７に示すようなものがある。
【０００３】
図７において、６０はカラー原反の積層シートであり、アルミニウム箔５０の両面にはエチレンメタクリル酸コポリマー５１、５２を積層しローラに導入し、その外側にはポリエチレンテレフタレート５３、内側にはナイロン−エチレンビニルアルコール共重合体５４を積層し、これらを一体化する。さらに、別のローラに導入し、外側に、着色ポリエチレン５６及び透明ポリエチレン５７を積層する。一方、内側には、直鎖状低密度ポリエチレン５８を積層し、これらを一体化し硬化し、カラー原反６０の積層シートが完成し巻き取られる。そして、本発明の先行技術に関する文献としては、特許文献１、特許文献２がある。
【先行技術文献】
【特許文献】
【０００４】
【特許文献１】特許第３５７６２４４号
【特許文献２】特開平８−５３１５７号
【発明の概要】
【発明が解決しようとする課題】
【０００５】
しかし、このような従来のカラー原反６０の製造方法は、以下に示すような欠点があった。
（１）従来のカラー原反の積層シート６０（大ロット対応）は、例えば図７に示すように、アルミニウム箔５０の両面に、接着性ポリエチレン５１、５２を積層し、外層にポリエチレンテレフタレート５３、内層にナイロン−エチレンビニルアルコール共重合体５４を積層し、次に、外層に着色ポリエチレン５６及び透明ポリエチレン５７を積層し、さらに、内層に、直鎖状低密度ポリエチレン５８を積層してカラー原反の積層シート６０を完成するものであり、作業工程数が頗る多く、複雑であるという欠点がある。
（２）従来のカラー原反の積層シート６０は、上記のように着色ポリエチレン５６の積層は特殊であり、単位がまとまった大ロットで製造される。したがって、購入できるカラー原反の積層シート６０の最小単位が、例えば幅６００ｍｍ×長さ３０，０００ｍ巻きであり、大ロットであるため、少ない本数のチューブ容器を生産する場合に必要とされる小ロットのカラー原反の積層シート、例えば、１００ｍｍ×５００ｍ巻き程度の小ロットの積層シートを購入することができないため、購入した大ロットシートの積層シートが無駄になる欠点があった。
この発明は、このような従来の課題に着目してなされたもので、本数の少ないチューブ容器を生産するための小ロット対応のカラー原反の製造方法を提供することにより、多品種少量生産のチューブ容器の生産に適し、顧客のニーズに対応できるカラー原反の製造方法を提供することを目的とする。
【課題を解決するための手段】
【０００６】
この課題を解決するため、請求項１記載の発明の解決手段は、チューブ容器の原材料であるカラー原反の製造方法であって、アルミニウム箔と、そのアルミニウム箔の内面側および外面側に設けられる合成樹脂製のフィルムとからなる基材原反をあらかじめ製造しておき、この基材原反を、製造しようとするチューブ容器のサイズおよびロット数に応じた幅及び長さの帯状とし、この基材原反を予備加熱し、予備加熱した基材原反の外面側に、所望の色彩に着色した着色樹脂をＴダイから押し出し成形して重ね合わせ、基材原反と着色樹脂を、押圧ロールと成形ロールの間に供給して両者を接着し、得られたカラー原反を前記成形ロールで冷却し、ついでアニーリングロールで加熱して焼鈍し、さらに冷却ロールで冷却することを特徴とする小ロット生産対応のカラー原反の製造方法である。
【０００７】
請求項２記載の発明の解決手段は、着色樹脂が、ポリエチレン、ナイロン、ポリプロピレン、エチレン酢酸ビニル共重合体又はエチレンビニルアルコール共重合体より選んだ１種であることを特徴とするカラー原反の製造方法である。
【０００８】
請求項３記載の発明の解決手段は、前記基材原反の予備加熱を、基材原反をプレヒートロールに導くことにより行うことを特徴とする前記いずれかのカラー原反の製造方法である。
【発明の効果】
【０００９】
本発明に係るカラー原反の製造方法は、本数の少ないチューブ容器を生産するための小ロット対応のカラー原反を製造することができる効果を有する。又所望する適宜の幅の着色樹脂をＴダイから押し出すことができるので、従来のように広い原反を裁断する必要がなく頗る経済的である。本発明に係るカラー原反の製造方法は、多品種少量のチューブ容器の生産に適すると共に、個々の顧客のニーズに細かく対応できる効果を奏する。
【図面の簡単な説明】
【００１０】
【図１】本発明に係るカラー原反の製造方法によって製造される原反の層構成を示す実施例１を示す拡大断面図。
【図２】本発明に係るカラー原反の製造方法によって製造される原反の層構成を示す実施例２を示す拡大断面図。
【図３】本発明に係るカラー原反の製造方法及び製造装置を示す断面図。
【図４】本発明に係るカラー原反をロールで焼き鈍している状態を示す断面図。
【図５】本発明に係るカラー原反をロールで冷却している状態を示す断面図。
【図６】本発明に係るカラー原反の製造方法で造られたチューブ容器を示す一部切り欠き断面図。
【図７】従来のカラー原反の製造方法によって製造される、カラー原反の層構成を示す拡大断面図。
【発明を実施するための形態】
【００１１】
以下、本発明の実施例の一例を図面に基づいて説明する。
【００１２】
図１は、本発明に係るカラー原反の製造方法によって製造される、カラー原反１０の層構成を示す実施例１を示す図面であり、１は基材原反である。又７は基材原反１に接着される着色樹脂である。実施例１の基材原反１は、外側からポリエチレン２、エチレンメタクリル酸コポリマー３、アルミニウム箔４、エチレンメタクリル酸コポリマー５及び直鎖状低密度ポリエチレン６で構成されている。又基材原反１に接着される着色樹脂７は、所望する色のマスターバッチが調色されている。この着色樹脂７は透明又は半透明であるため、外観はアルミニウム箔の光沢ある金属感と着色樹脂の色彩が混合して視覚することができる。
【００１３】
図２は、本発明に係るカラー原反の製造方法によって製造される、カラー原反２０の層構成を示す実施例２を示す図面である。基材原反１１は、アルミニウム箔１４の両面に、エチレンメタクリル酸コポリマー１３、１５を貼り合わせ、その外側に低密度ポリエチレン１９、直鎖状低密度ポリエチレン２１及びポリエチレン１２が貼り合わされている。さらに内側には、ポリエチレンテレフタレート１８及び直鎖状低密度ポリエチレン１６が貼り合わされている。又１７は基材原反１１に接着される着色樹脂である。なお、本発明のカラー原反の製造方法により製造される、カラー原反の層構成は、この実施例１及び２の層構成に限定されないことは、いうまでもない。
【００１４】
基材原反１０の肉厚は、例えば総肉厚が１００〜５００μｍであり、外側からポリエチレン２が５０μｍ、エチレンメタクリル酸コポリマー３が２０μｍ、アルミニウム箔４が３０μｍ、エチレンメタクリル酸コポリマー５が３０μｍ、直鎖状低密度ポリエチレン６が８０μｍで構成されているが、肉厚は任意に決定され、これに限定されるものではない。又実施例２は、基材原反２０の肉厚は、例えば総肉厚が１００〜５００μｍであり、外側からポリエチレン１２が３０μｍ、直鎖状低密度ポリエチレン２１が３０μｍ、低密度ポリエチレン１９が８０μｍ、アルミニウム箔１４が３０μｍ、アルミニウム箔１４の両側のエチレンメタクリル酸コポリマー１３、１５が２０μｍ、その内側にポリエチレンテレフタレート１８が１６μｍ、直鎖状低密度ポリエチレン１６が１００μｍで構成されているが、同様に肉厚は任意に決定され、これに限定されるものではない。
【００１５】
次に、Ｔダイ３６から押出される着色樹脂７、１７の肉厚は１００〜５００μｍが適し、好ましくは１５０〜３００μｍである。そして、この着色樹脂７、１７の外側には、通常透明ポリエチレン層が、最外面に押出しラミネートされているが、本発明に係るカラー原反１０、２０の着色樹脂７、１７は、外側に着色樹脂７、１７がむきだしの状態で押出しラミネートされており、最外面の樹脂が節約されている。必要な基材原反１、１１の生産量（カラー原反の幅、長さ）は、生産するチューブ容器のサイズ、数量によって異なり、又複数のカラー原反１０、２０を備えることができる。さらに、着色樹脂７、１７の色彩も、所望する色彩の着色剤（マスターバッチ）を任意に配色することができ、任意に対応することができる。また、基材原反１、１１は、いずれかの層に、ホログラム、エンボス、艶出し、艶消し等の表面加工が施されたものであってもよく、又これらの表面加工が全面または部分的に施されたものや、２種類以上の表面加工が組み合わされたものでもよい。このような基材原反１、１１と所望する着色樹脂７、１７とを組み合わせることによって、原反のバリエーションをさらに増やすことができる。
【００１６】
次に、本発明に係るカラー原反の製造方法に用いられる、カラー原反１０の製造装置を図３に示す。カラー原反の製造装置３０は、少なくともプレヒートロール３１、押圧ロール３２、成形ロール３３、アニーリングロール３４、冷却ロール３５及びＴダイ３６から構成されている。具体的には、まず基材原反１がプレヒートロール３１に導かれて、押圧ロール３２及び成形ロール３３間に導入される。この際、基材原反１０は、プレヒートロール３１によって予備加熱され、押圧ロール３２と成形ロール３３の間に供給される。この予備加熱により着色樹脂７がより容易に基材原反１０に接着される。
【００１７】
所望する色彩の着色樹脂７は、上方のＴダイ３６から溶融状態で、押圧ロール３２と成形ロール３３の間に供給される。そして、基材原反１０の外面に着色樹脂７が貼り合わされ、押圧ロール３２と成形ロール３３により接着される。着色樹脂７の接着後、カラー原反１０は、成形ロール３３によって冷却される。そして、次工程のアニーリングロール３４に送られ、カラー原反１０に焼き鈍しが施される。図４に示すように、アニーリングロール３４により基材原反１の下面が加熱されることにより、熱及び機械的な圧力によってカラー原反１０に存在する内部歪みを除去することができる。さらに冷却ロール３５に送られ、図５に示すように着色樹脂７の上面を冷却することにより、カール現象を緩和することができる。カール現象の原因は、成形ロール３３による冷却と着色樹脂７の熱ラミネートによる収縮で生じるものであり、アニーリングロール３４、冷却ロール３５によりこれを矯正することができる。これらの製造工程を経て、平面的で均一なカラー原反１０が製造される。
【００１８】
図６は、上記製造方法により製造されたチューブ容器２２を示す図面である。チューブ容器２２の胴部２３は、上記基材原反１に接着された着色樹脂７で構成されている。すなわち、本発明に係る製造方法で製造されるカラー原反１を、適宜所望するチューブ容器２２の丈に合わせて裁断し、丸めて両端部を溶着して胴部２３を形成し、この胴部２３をマンドレルで支持した後、金型を被せて、金型内に樹脂を流し込むことにより口部２４及び肩部２５を成形するインジェクション成形又はマンドレルで支持した胴部の上方に樹脂を上から落下させて、金型により口部２４及び肩部２５を成形するコンプレッション成形、又は予めインジェクション成形されたショルダーを、高周波等の加熱によって胴部２３と溶着させる方法等の公知の製造方法等によりチューブ容器２２が製造される。
【産業上の利用可能性】
【００１９】
本発明に係るカラー原反の製造方法は、本数の少ないチューブ容器を生産するための小ロット対応のカラー原反の製造方法であり、多品種少量生産に適し、個々の顧客のニーズに対応することができるので、この製造方法で製造されたチューブ容器は、薬品、化粧品、食品、接着剤等を収納するチューブ容器として、広く利用することができる。
【符号の説明】
【００２０】
１，１１  基材原反  
７，１７  着色樹脂
１０，２０  カラー原反
３６  Ｔダイ
２２  チューブ容器
【図１】
0005952620.tif 000002
【図２】
0005952620.tif 000003
【図３】
0005952620.tif 000004
【図４】
0005952620.tif 000005
【図５】
0005952620.tif 000006
【図６】
0005952620.tif 000007
【図７】
0005952620.tif 000008